(57)【要約】【課題】ティースのステータ巻線の効果を理想的ステータ巻線に近づけることができ、角度の検出精度を向上させることができるレゾルバを提供する。【解決手段】輪状ステータ１は、輪状ステータヨーク２と、周方向に互いに間隔を置いて輪状ステータヨーク２の内周縁２０から径方向内側に延出された複数のティース３とを備えている。各ティース３は、柱部３０と頭部３１とを含んでいる。柱部３０は、内周縁２０から延出された柱状の部分である。柱部３０は、周方向における幅寸法が柱部３０の延出方向に沿って変化するように形成されている。具体的には、柱部３０の基端３０ｂから先端３０ａに向けて連続的に輪状ステータヨーク２の周方向における幅寸法が狭くなるように形成されている。柱部３０の断面積及び周長は、柱部３０の輪状ステータヨーク２の周方向における幅寸法に依るので、基端３０ｂに近いほど大きく先端３０ａに近いほど小さい。【選択図】図１
2018161053.tif 000002
【特許請求の範囲】
【請求項１】
輪状ステータヨークと、周方向に互いに間隔を置いて前記輪状ステータヨークから径方向に突出された複数のティースとを有する輪状ステータを備え、
前記ティースは、前記輪状ステータヨークの内周縁から延出されるとともに、ステータ巻線が巻きつけられる柱部を含んでおり、
前記柱部の前記周方向における幅寸法は、前記柱部の基端から前記柱部の先端に向けて段階的に狭くなる
ことを特徴とするレゾルバ。
【請求項２】
輪状ステータヨークと、周方向に互いに間隔を置いて前記輪状ステータヨークから径方向に突出された複数のティースとを有する輪状ステータを備え、
前記ティースは、前記輪状ステータヨークの内周縁から延出されるとともに、ステータ巻線が巻きつけられる柱部を含んでおり、
前記柱部の前記周方向における幅寸法は、前記柱部の基端から前記柱部の先端に向けて段階的に広くなる
ことを特徴とするレゾルバ。
【請求項３】
輪状ステータヨークと、周方向に互いに間隔を置いて前記輪状ステータヨークから径方向に突出された複数のティースとを有する輪状ステータを備え、
前記ティースは、前記輪状ステータヨークの内周縁から延出されるとともに、ステータ巻線が巻きつけられる柱部を含んでおり、
前記柱部の前記周方向における幅寸法は、前記柱部の基端と前記柱部の先頭との間の中間位置において最も狭い
ことを特徴とするレゾルバ。
【発明の詳細な説明】
【技術分野】
【０００１】
この発明は、ティースを有する輪状ステータヨークを備えるレゾルバに関する。
【背景技術】
【０００２】
従来用いられていたこの種のレゾルバとしては、例えば下記の特許文献１等に記載された構成を挙げることができる。すなわち、従来のレゾルバは、輪状ステータヨークと、周方向に互いに間隔を置いて輪状ステータヨークの内周縁から径方向内側に突出された複数のティースとを有する輪状ステータを備えている。ティースには、輪状ステータヨークの内周縁から延出された柱部が含まれている。柱部には、ステータ巻線が巻き付けられたボビンが装着されている。輪状ステータヨークの周方向に沿う柱部の幅寸法は一定とされており、柱部の断面積及び周長は柱部の延出方向に沿って一定とされている。
【先行技術文献】
【特許文献】
【０００３】
【特許文献１】特開平８−９８４８６号公報
【発明の概要】
【発明が解決しようとする課題】
【０００４】
上記のような従来のレゾルバでは、柱部の断面積及び周長が柱部の延出方向に沿って一定とされているので、ステータ巻線の１ターンの効果も柱部の延出方向に沿って一定である。一方で、理想的なステータ巻線のターン数は、小数を含む数として算出されるため、上記のような従来のレゾルバのティースの柱部では理想的なステータ巻線を実現することができず、角度の検出精度が低くなる。
【０００５】
この発明はこのような問題を解決するためになされたものであり、ステータ巻線の効果を理想的なステータ巻線の効果に近づけることができ、角度の検出精度を向上させることができるレゾルバを提供することを目的とする。
【課題を解決するための手段】
【０００６】
この発明に係るレゾルバは、輪状ステータヨークと、周方向に互いに間隔を置いて輪状ステータヨークから径方向に突出された複数のティースとを有する輪状ステータを備え、ティースは、輪状ステータヨークの内周縁から延出されるとともに、ステータ巻線が巻きつけられる柱部を含んでおり、柱部の周方向における幅寸法は、柱部の基端から柱部の先端に向けて段階的に狭くなる。
【０００７】
また、この発明に係るレゾルバは、輪状ステータヨークと、周方向に互いに間隔を置いて輪状ステータヨークから径方向に突出された複数のティースとを有する輪状ステータを備え、ティースは、輪状ステータヨークの内周縁から延出されるとともに、ステータ巻線が巻きつけられる柱部を含んでおり、前記柱部の前記周方向における幅寸法は、前記柱部の基端から前記柱部の先端に向けて段階的に広くなる。
【０００８】
また、この発明に係るレゾルバは、輪状ステータヨークと、周方向に互いに間隔を置いて輪状ステータヨークから径方向に突出された複数のティースとを有する輪状ステータを備え、ティースは、輪状ステータヨークの内周縁から延出されるとともに、ステータ巻線が巻きつけられる柱部を含んでおり、柱部の周方向における幅寸法は、柱部の基端から柱部の先端に向けて段階的に狭くなる。
【発明の効果】
【０００９】
この発明のレゾルバによれば、輪状ステータヨークの周方向におけるティースの柱部の幅寸法が延出方向に沿って変化するように形成されているので、ステータ巻線の効果を理想的なステータ巻線の効果に近づけることができる。これによりレゾルバの角度の検出精度を向上させることができる。
【図面の簡単な説明】
【００１０】
【図１】この発明の実施の形態に係るレゾルバの輪状ステータの平面図である。
【図２】この発明の実施の形態の変形例に係るレゾルバの輪状ステータの平面図である。
【図３】この発明の実施の形態の変形例に係るレゾルバの輪状ステータの平面図である。
【図４】この発明の実施の形態の変形例に係るレゾルバの輪状ステータの平面図である。
【発明を実施するための形態】
【００１１】
以下、この発明の実施の形態を添付図面に基づいて説明する。
図１は、この発明の実施の形態に係るレゾルバの輪状ステータの平面図である。図１において、輪状ステータ１は、輪状ステータヨーク２と、周方向に互いに間隔を置いて輪状ステータヨーク２の内周縁２０から径方向内側に延出された複数のティース３とを備えている。
【００１２】
各ティース３は、柱部３０と頭部３１とを含んでいる。柱部３０は、内周縁２０から延出された柱状の部分である。柱部３０は、周方向における幅寸法が柱部３０の延出方向に沿って変化するように形成されている。具体的には、柱部３０の基端３０ｂから先端３０ａに向けて連続的に輪状ステータヨーク２の周方向における幅寸法が狭くなるように形成されている。柱部３０の断面積及び周長は、柱部３０の輪状ステータヨーク２の周方向における幅寸法に依るので、基端３０ｂに近いほど大きく先端３０ａに近いほど小さい。
頭部３１は、柱部３０とともにＴ字を形成するように柱部３０の先端３０ａに一体に設けられた部分である。頭部３１には、柱部３０の先端に接する中央部３１ａと、中央部３１ａから周方向に突出された一対の突部３１ｂとが含まれる。
【００１３】
各柱部３０には、図示しない樹脂製ボビンが装着されている。ボビンは、柱部３０の延出された方向において柱部３０と略等しい長さを有する。また、ボビンには、ステータ巻線が密接して巻きつけられてコイルを形成している。つまり、柱部３０にはボビンを介してステータ巻線が巻き付けられている。
【００１４】
ステータ巻線の１ターンごとの効果は、ステータ巻線の巻かれている位置における柱部３０の断面積及び周長によって決まる。したがってこのような輪状ステータ１を有するレゾルバでは、柱部３０の周方向における幅寸法によって、ステータ巻線の１ターンごとの効果が変化する。そこで、輪状ステータヨーク２の周方向における柱部３０の基端３０ｂから先端３０ａまでの延出方向に沿う幅寸法の変化を、柱部３０の設計時に調節して、ステータ巻線の効果が理想的なステータ巻線の効果に近づくように柱部３０を形成する。これにより、ステータ巻線の効果を理想的なステータ巻線の効果に近づけるようにすることができ、レゾルバの角度の検出精度を向上させることができる。
【００１５】
また、上述したようにステータ巻線の１ターンごとの効果は、ステータ巻線の巻かれている位置における柱部３０の断面積及び周長によって決まる。そこで、このような輪状ステータ１を有するレゾルバでは、ボビンへのステータ巻線の巻き位置を調整することにより、ステータ巻線の巻かれている位置における柱部３０の断面積及び周長を調整することができる。したがって、ボビンへのステータ巻線の巻き位置を調整することによって、柱部３０の基端３０ｂから先端３０ａまでの間でステータ巻線の位置を変えて、ステータ巻線の効果を理想的なステータ巻線の効果に近づけることができる。これにより、同様にレゾルバの角度の検出精度を向上させることができる。
【００１６】
なお、実施の形態では、柱部３０は、基端３０ｂから先端３０ａに向けて連続的に輪状ステータヨーク２の周方向に沿う幅寸法が狭くなるように形成していたが、図２に示すように、基端１３０ｂから先端１３０ａに向けて幅寸法が連続的に広くなるように柱部１３０を形成してもよい。これにより、実施の形態と同じ効果を得ることができる。
【００１７】
また、図３に示すように柱部２３０を、基端２３０ｂから先端２３０ａに向けて段階的に輪状ステータヨーク２の周方向に沿う幅寸法が広くなるように形成してもよい。このように形成することで、柱部の形状が連続的に変化する場合よりも柱部２３０の形状の変化が明確となる。そのため自動巻線機でステータ巻線の巻線を行う時に、ステータ巻線の巻き位置を指定することが容易になる。これにより、巻線作業を自動化した時にもステータ巻線の効果を理想的なステータ巻線の効果に近づけることができ、レゾルバの角度の検出精度を向上させることができる。さらに、この場合は柱部２３０を、基端２３０ｂから先端２３０ａに向けて段階的に輪状ステータヨーク２の周方向に沿う幅寸法が狭くなるように形成してもよい。
【００１８】
また、図４に示すように柱部３３０の基端３３０ｂと先端３３０ａとの間の中間位置３３３ｃにおいて、中間位置３３３ｃにおける輪状ステータヨーク２の周方向に沿う柱部３３０の幅寸法が最も狭くなるように形成してもよい。これにより、柱部３３０の形状の変化がさらに明確になり、ステータ巻線の巻き位置を指定することがさらに容易になる。そのため自動巻線機でステータ巻線の巻線を行う時に、巻線作業を自動化した時にもステータ巻線の効果を理想的なステータ巻線の効果に近づけることができ、レゾルバの角度の検出精度を向上させることができる。
【符号の説明】
【００１９】
１  輪状ステータ、２  輪状ステータヨーク、３  ティース、２０  内周縁、３０，１３０，２３０，３３０  柱部、３０ｂ，１３０ｂ，２３０ｂ，３３０ｂ  基端、３０ａ，１３０ａ，２３０ｂ，２３０ｃ  先端、３３０ｃ  中間位置。
【図１】
2018161053.tif 000003
【図２】
2018161053.tif 000004
【図３】
2018161053.tif 000005
【図４】
2018161053.tif 000006